(57)【要約】【課題】  部品が少なく生産性のよい小型で、また、貯湯タンクをプラスチック成形品としても不具合が生じない食器洗浄機を提供する。【解決手段】  洗浄槽、この洗浄槽の内部に設けられた噴射ノズル、洗浄槽の外部に設けられ加熱手段５により給水された水の加熱を行う貯湯タンク４及び貯湯タンク４から洗浄槽に給湯する給湯ポンプ６とを備えた食器洗浄機において、貯湯タンク４は、貯湯タンク４内の水が一定以上となったときに水を溢れさすためのオーバーフロー部２３と、このオーバーフロー部２３の底部に設けられ洗浄槽と連通する連通部２３ａと、を備え、貯湯タンク４から洗浄槽への給湯を、オーバーフロー部２３と連通部２３ａを介して行うとともに、溢れた水を連通部２３ａから洗浄槽２に流すものである。【選択図】図２
2005334344.tif 000002
【特許請求の範囲】
【請求項１】
食器類を洗浄する洗浄槽と、
この洗浄槽の内部に設けられ洗浄水を前記食器類に向け噴射する噴射ノズルと、
前記洗浄槽の外部に設けられ、加熱手段により給水された水の加熱を行う貯湯タンクと、
この貯湯タンクから前記洗浄槽に給湯する給湯ポンプとを備え、
前記貯湯タンクは、前記貯湯タンク内の前記水が一定以上となったときに前記水を溢れさすためのオーバーフロー部と、
このオーバーフロー部の底部に設けられ前記洗浄槽と連通する連通部と、
を備え、
前記貯湯タンクから前記洗浄槽への給湯を、前記オーバーフロー部と前記連通部を介して行うとともに、溢れた水を前記連通部から前記洗浄槽に流すことを特徴とする食器洗浄機。
【請求項２】
貯湯タンクの給水口を前記貯湯タンクの側壁面近傍に設けるとともに、前記給水口からの給水が前記側壁面に沿って流れるようにする水流制御手段を備えたことを特徴とする請求項１記載の食器洗浄機。
【請求項３】
水流制御手段は給水口に対向するとともに、側壁面に下部先端を近接するように傾斜して設けた板状体または樋状体としたことを特徴とする請求項２記載の食器洗浄機。
【請求項４】
貯湯タンクのタンク本体と蓋体はプラスチックにより成形され、前記タンク本体の内面に沿って加熱手段の熱を遮蔽する熱遮蔽板を備えたことを特徴とする請求項１〜３のいずれかに記載の食器洗浄機。
【発明の詳細な説明】
【技術分野】
【０００１】
この発明は、食器洗浄機に関し、詳しくは洗浄槽の外に貯湯タンクを具備した食器洗浄機の構造に関するものである。
【背景技術】
【０００２】
従来の食器洗浄機は、洗浄室の底部に、洗浄水を貯留する洗浄タンクが設けられ、洗浄タンクに、第１の設定水位を越えた洗浄水を外部に排出する第１のオーバーフローパイプが配設されている。洗浄室の外部に、すすぎ水を貯留する貯湯タン６が配設され、貯湯タンクに、第２の設定水位を越えたすすぎ水を溢れさせる第２のオーバーフローパイプが設けられている。第２のオーバーフローパイプの下端開口は、洗浄水の排水経路に接続され、第２のオーバーフローパイプの上端開口は、洗浄タンクにおける第１の設定水位より高い位置に設定されている（例えば、特許文献１参照）。
【０００３】
【特許文献１】特開２００２−２５３４６５号公報（段落０００８〜００１８、図１）
【発明の開示】
【発明が解決しようとする課題】
【０００４】
従来の食器洗浄機では、貯湯タンクに、第２の設定水位を越えたすすぎ水を溢れさせる第２のオーバーフローパイプが別部品として設けられ、この第２のオーバーフローパイプの下端開口は、洗浄水の排水経路に接続されており、長さも長いものとなっており、部品点数とスペースの増加を招くという問題があった。
また、貯湯タンクをプラスチック成形品とした場合、ヒーターの熱で不具合が発生するという問題があった。
【０００５】
この発明はかかる課題を解決するためになされたもので、部品が少なく生産性のよい小型で、また、貯湯タンクをプラスチック成形品としても不具合が生じない食器洗浄機を提供することを目的とする。
【課題を解決するための手段】
【０００６】
この発明に係る食器洗浄機においては、食器類を洗浄する洗浄槽と、この洗浄槽の内部に設けられ洗浄水を前記食器類に向け噴射する噴射ノズルと、前記洗浄槽の外部に設けられ、加熱手段により給水された水の加熱を行う貯湯タンクと、この貯湯タンクから前記洗浄槽に給湯する給湯ポンプとを備え、前記貯湯タンクは、前記貯湯タンク内の前記水が一定以上となったときに前記水を溢れさすためのオーバーフロー部と、このオーバーフロー部の底部に設けられ前記洗浄槽と連通する連通部と、を備え、前記貯湯タンクから前記洗浄槽への給湯を、前記オーバーフロー部と前記連通部を介して行うとともに、溢れた水を前記連通部から前記洗浄槽に流すものである。
【発明の効果】
【０００７】
この発明は、貯湯タンクは、貯湯前記貯湯タンク内の水が一定以上となったときに水を溢れさすためのオーバーフロー部と、このオーバーフロー部の底部に設けられ前記洗浄槽と連通する連通部と、を備え、貯湯タンクから洗浄槽への給湯を、オーバーフロー部と連通部を介して行うとともに、溢れた水を連通部から前記洗浄槽に流すので、部品を兼用して少なくでき生産性がよく、また、小型にすることができる。
【発明を実施するための最良の形態】
【０００８】
図１はこの発明に係わる実施の形態の食器洗浄機の断面図、図２は食器洗浄機の貯湯タンクの正面図、図３は図２のＡ−Ａ断面図、図４は貯湯タンク内の熱遮蔽板、図５は食器洗浄機の動作を示す概念図、図６は貯湯タンクの水流制御手段の他の構成図である。
【０００９】
図１は流し台等に設けられ蓋が上面にある食器洗浄機の例を示しており、食器洗浄機の本体１には、上部に開口部を有する洗浄槽２、洗浄槽２の開口部に設けられた蓋３、流し台の前面扉１０１側で洗浄槽２の外側に配置され、内部にヒータ５、下部に給湯ポンプ６を有する貯湯タンク４が設けられている。
さらに、洗浄槽２の下部に洗浄水を噴射する噴射ノズル７、洗浄した洗浄水を溜める湯溜め部８、噴射ノズル７に洗浄水を送るとともに排水を行う噴射排水兼用ポンプ９が設けられ、噴射排水用ポンプ９と噴射ノズル７は送水管１０で接続され、湯溜め部８と噴射排水兼用ポンプ９は送水管１１で接続され、噴射排水兼用ポンプ９に排水管１２が接続されている。また、操作部１３が前面扉１０１側の上方に設けられている。なお、図示してないが溜め部８にはフィルターが設けられ、制御手段は操作部１３の内側に設けられている。
【００１０】
次に、貯湯タンク４は、図２，図３に示すように開口部を有するタンク本体１５と、タンク本体１５の開口部を覆う蓋体１６から外殻が構成され、タンク本体１５と蓋体１６は各々プラスチックで一体成形されている。タンク本体１５の内部は仕切板２３ｂで仕切られ貯湯前記貯湯タンク本体１５の水が一定以上となったときに水を溢れさせるオーバーフロー部２３が設けられ、このオーバーフロー部２３の底部には洗浄槽２と連通する短い円筒形状の連通部２３ａが設けられている。この連通部２３ａは洗浄槽２の側壁に設けられた短い円筒形状の洗浄槽連通部２ａにシールパッキンを介して接続されている。
また、タンク本体１５の底部に設けられた取水口１８に給湯管Ａ１９を介して接続された給湯ポンプ６と、給湯ポンプ６とオーバーフロー部２３の上方に位置する蓋体１６に、給湯口２１Ｂを蓋体１６から内部に突出させて接続された給湯管Ｂ２１とが設けられている。また、タンク本体１５の底面には、湯の温度を検出する温度センサー２７が設けられている。
なお、オーバーフロー部２３のオーバーフロー位置である仕切板２３ｂの上部先端位置は、加熱による水の体積増加により水面が上昇しても水が溢れ出ないように水位より高く設定されている。
また、取水口１８はタンク本体１５の湯を給湯ポンプ６で送るときに、湯がタンク本体１５に残らないようにンク本体１５の底面より一段低い位置に設けている。
【００１１】
また、蓋体１６には、外部からの水を給水する給水管１７が蓋体１６の給水口１７ａに接続されており、この給水口１７ａは蓋体１６の縁でタンク本体１５側壁面の近傍に位置するように設けられている。また、給水口１７ａからの給水がタンク本体１５の側壁面に沿って流れるようにする水流制御手段である板状体２６が設けられ、この板状体２６は給水口１７ａに対向するとともに、タンク本体１５の側壁面に下部先端ｇた近接するように傾斜して設けられている。なお、板状体２６は蓋体１６に一体に成形され、タンク本体１５の幅と同一か、または、幅より小さいものとする。
【００１２】
また、蓋体１６には、貯湯タンク４の水位を検出する圧力式水位センサー２４が設けられており、この圧力式水位センサー２４のエア溜まり部２５は蓋体１６に一体に設けられている。また、タンク本体１５の内面に沿って加熱手段５の熱を遮蔽する熱遮蔽板２０が設けられている。この熱遮蔽板２０は金属板を折り曲げて形成したもので、底面２０ｅから立設された側面２０ａ，２０ｂ，２０ｃ２０ｄが設けられている。
そして、熱遮蔽板２０は、圧力式水位センサー２４のエア溜まり部２５が熱遮蔽板２０とタンク本体１５の側壁面の間になる大きさとしている。
【００１３】
次に、動作について図５により説明する。まず、例えば、操作盤１３で洗浄コースを選択してスタートさせると給水弁２２が開き、給水管１７を通り貯湯タンク３に外部から水が供給され貯まりはじめる。このとき、給水管１７の給水口１７ａから流れ出た水は板状体２６に当たり水流方向がタンク本体１５の側壁面方向に変えられ、水はタンク本体１５の側壁面に沿って水が流れる。このため、タンク本体１５に水が溜まり、水位が上昇するときの水面の乱れが生じないので、後述の圧力水位センサー２４の空気溜め２５の圧力変動を防止し、水位の検出を安定させることができる。
なお、水位センサー２４が不具合等で動作しないときや加熱による水の体積増加によりタンク本体１５の水位が設定水位より上昇しても仕切板２３ｂからオーバーフロー部２３に水が流れるので水が満水にはならない。
【００１４】
貯湯タンク４に水が貯まり、水位検センサー２４により設定された水位が検知されると給水弁２２が閉じ、水が加熱される。そして、洗浄に適した温度になるまで加熱手段５に通電される。温度検知手段２７の検出温度が適正温度に到達すると、加熱手段５の通電を停止し、給湯ポンプ６を動作させて貯湯タンク４の底部の取水口１８から給湯管Ａ１９を介して給湯ポンプ６に湯が取り込まれ給湯管Ｂ２１を介して給湯口２１ａからオーバーフロー部２３に注がれ、連通口２３ａを介して洗浄槽２へ給湯される。そして、所定時間動作し洗浄槽２に湯が給湯された後、給湯ポンプ６は停止する。
【００１５】
次に、噴射排水兼用ポンプ９が噴射で動作をはじめると、洗浄槽２に溜められた湯が湯溜め部８から洗浄水として噴射ノズル７に圧送され、食器類（図示せず）に向かって噴射される。噴射された洗浄水は湯溜め部８に集まり、噴射排水兼用ポンプ９によって噴射ノズル７に圧送され食器類に向かって噴射を繰り返し、洗浄水が循環しながら食器類が洗浄される。
【００１６】
洗浄がはじまると、並行して貯湯タンク４の給水弁２２が開き、給水管１７を通り外部から貯湯タンク４に外部から水が供給され、貯まりはじめる。貯湯タンク４に水が貯まり、水位センサー２４により設定水位が検知されると給水弁２２が閉じ、水が加熱され、すすぎに適した温度になるまで加熱手段５に通電される。温度検知手段２７の検出温度が適正温度に到達すると、加熱手段５への通電を一旦停止するが、所定時間の洗浄が終了するまで、適正温度を保つように、加熱手段５を断続的に通電する。
【００１７】
そして、所定時間が経過し洗浄が終了すると、噴射排水兼用ポンプ９の噴射動作が停止、排水の動作をはじめ、洗浄槽２内の洗浄水が機体外へ排水される。噴射排水兼用ポンプ９が所定時間排水動作を行なった後、噴射排水兼用ポンプ９は停止する。その後、給湯ポンプ６を動作させて貯湯タンク４から洗浄槽２へ給湯され、所定時間動作した後、給湯ポンプ６は停止する。
【００１８】
次に、噴射排水兼用ポンプ９が噴射で動作をはじめると、洗浄槽２に溜められた湯が湯溜め部８からすすぎ水として噴射ノズル７に圧送され、食器類に向かって噴射される。噴射されたすすぎ水は湯溜め部８に集まり、噴射排水兼用ポンプ９によって噴射ノズル７に圧送され食器類に向かって噴射を繰り返し、すすぎ水が循環しながら食器類がすすがれる。すすぎが終了すると、噴射排水兼用ポンプ９の噴射動作が停止、排水の動作をはじめ、洗浄槽２内の洗浄水が機体外へ排水される。噴射排水兼用ポンプ９が所定時間排水動作を行った後、噴射排水兼用ポンプ９は停止する。その後、給湯ポンプ６を動作させて貯湯タンク３から洗浄槽２へ給湯される。所定時間動作した後、給湯ポンプ６は停止、再びすすぎが行われる。通常すすぎは複数回行われる。
【００１９】
次に、図示してないが送風手段により、水の無い貯湯タンク４に外気を送り込み、加熱手段５で加熱して送風手段の圧力で加熱された空気を連通穴２３ａから洗浄槽２へと送り、食器類の乾燥を行なって洗浄工程が完了する。
【００２０】
以上のように、貯湯タンクは、貯湯前記貯湯タンク内の水が一定以上となったときに水を溢れさすためのオーバーフロー部と、このオーバーフロー部の底部に設けられ前記洗浄槽と連通する連通部と、を備え、貯湯タンクから洗浄槽への給湯を、オーバーフロー部と連通部を介して行うとともに、溢れた水を連通部から前記洗浄槽に流すので、部品を兼用して少なくでき生産性がよく、また、小型にすることができる。
【００２１】
貯湯タンクの給水口を前記貯湯タンクの側壁面近傍に設けるとともに、前記給水口からの給水が前記側壁面に沿って流れるようにする水流制御手段を備えたので、貯湯タンク４の水位が乱れないので水位の検出精度を高くすることができる。
【００２２】
また、水流制御手段は給水口に対向するとともに、側壁面に下部先端を近接するように傾斜して設けた板状体（材）または樋状体としたので、簡単な構造で貯湯タンク４の水位が乱れないので水位検出を安定させることができる。
【００２３】
貯湯タンクのタンク本体と蓋体はプラスチック成形され、前記タンク本体の内面に沿って加熱手段の熱を遮蔽する熱遮蔽板を備えたので、タンク本体１５をプラスチックとしても、加熱による変形等の不具合を防止することができる。
【００２４】
また、タンク本体１５ののオーバーフロー部２３の連通部２３ａは洗浄槽２の側壁に設けられた短い円筒形状の洗浄槽通部２ａに直接接続されているので、給湯タンク４からの給湯管を不要とすることができる。
【００２５】
また、水位検出に圧力式水位センサー２４を使用して、空気溜め２５を蓋体１６に一体化することができる。
【００２６】
また、取水口１８をタンク本体１５の底面より一段低い位置に設けたので、湯がタンク本体１５に残らないようにすることができる。
【００２７】
オーバーフロー部２３を設けたので、水位が急上昇したときもスムーズに水を溢れさことができる。
【００２８】
オーバーフロー部２３をタンク本体１５の一部として一体成形したので、部品点数を減らすことができる。
【００２９】
なお、本実施の形態では、流し台のカウンター側に蓋体３を備え、食器類の出し入れを上面から行なう構成となっているが、洗浄槽２を流し台の前面に引出すものや、流し台に組み込まれない、独立した機体のものとしても、同様の効果を奏することができる。
また、圧力式水位センサー２４の代わりに浮き式水位センサーを使用してもよい。
【００３０】
また、本実施の形態では、水流制御手段は、図２に示すように傾斜した板状体２６を使用したが、図６（ｃ）に示すように断面半円状のものや図６（ｄ）に示す断面に折り曲げ部を有する樋状体とし、貯湯タンク１５側壁面に平行でもよく、または、傾斜させてもよい。また、図６（ｂ）に示すように貯湯タンク１５側壁面に平行に設けた板状体でもよい。なお、図６（ａ）は貯湯タンク１５の部分断面図である。
【図面の簡単な説明】
【００３１】
【図１】この発明の実施の形態を示す食器洗浄機を横から見た断面図である。
【図２】この発明の実施の形態を示す食器洗浄機内に収容されている貯水タンクの断面図である。
【図３】図２の断面図である。
【図４】この発明の実施の形態を示す食器洗浄機内の貯水タンクに設けられた熱遮蔽板の斜視図である。
【図５】この発明の実施の形態を示す食器洗浄機内の動作を示す概念図である。
【図６】この発明の実施の形態を示す食器洗浄機内の貯水タンクに設けられた給水の水流を制御する板状体の構成図である。
【符号の説明】
【００３２】
１  機体、２  洗浄槽、４  貯湯タンク、５  加熱手段、６  給湯ポンプ、７  噴射ノズル、２０  熱遮蔽板、２３  オーバーフロー部、２３ａ  連通部、２６  水流制御手段。
【図１】
2005334344.tif 000003
【図２】
2005334344.tif 000004
【図３】
2005334344.tif 000005
【図４】
2005334344.tif 000006
【図５】
2005334344.tif 000007
【図６】
2005334344.tif 000008